(57)【特許請求の範囲】
【請求項１】
扉や窓の障子、或いは引戸等の可動体の可動端縁部、及び可動端縁部と引き違いになる扉枠や窓枠或いは引戸の框等の固定側の端縁部の一方に装着されたケースと、他方に設けられたストライクと、ケース内において引き違い面に垂直な方向に移動可能に案内され、ケースの外壁を貫通してケース外に突出する先端部がストライクに開口した係止孔に係入する方向の前方に付勢された係止ロッドと、係止ロッドにこれと一体に移動でさるように担持され、係止ロッドの半径方向に移動可能に案内されると共に、一端に係止突起を形成した摘み軸と、この摘み軸をその長さ方向に付勢する摘みばねと、ケース外に突出する摘み軸の外端に結合された摘みと、摘み及び摘み軸に外力が作用しない常態において、摘み軸の係止突起を係止ロッドの半径方向における待機位置に設定する第１ストッパーと、常態における摘み軸の係止突起に前方から係合して係止ロッドを待機位置に係止する第２ストッパーとを有し、摘み軸を摘みばねの弾力に抗してその軸線方向に移動させることにより第２ストッパーと係止突起との係合を解き、係止ロッドを待機位置から更に前方に移動させることができるようにしたことを特徴とする係止装置。
【発明の詳細な説明】
【０００１】
【発明の属する技術分野】
この発明は、窓の障子を窓枠に係止したり、扉や引戸を扉枠や框に係止するに適した新規な係止装置に関する。
【０００２】
【従来の技術】
例えば扉を扉枠に一時的に係止するため、ラッチボルトが用いられる。このラッチボルトは、扉枠側に突出する方向に付勢されたラッチヘッドに斜面を形成し、この斜面と扉枠側のストライクとの間に生じる楔作用によってラッチボルトを錠箱内に引込ませ、ラッチボルトとストライクのラッチボルト投入孔とが整合したとき前者の付勢力によりラッチヘッドを後者に投入するように作用する。
【０００３】
このラッチボルトは、斜面の寸法を大きく設定することができるからラッチボルトの移動量を大きくとることができ、ラッチヘッドのストライクとの係合深さも充分大きくすることができるので係止作用が確実で、ラッチボルトがストライクから外れてしまう心配は無い。
【０００４】
【発明が解決しようとする課題】
しかしながら、上記した構成の従来のラッチボルトは、係止を解除するとき大きなストロークのリトラクターを必要とするので、全体として構造が複雑になり、また、ハンドルやノブ等の操作部材も必要なので必然的に大きくなる、という不都合がある。
【０００５】
この不都合は、例えば引き違いとなる２枚の引戸を相互に係止し、或いは引戸を框に係止するカマを有する係止装置においても同様である。
【０００６】
この発明は、構造が簡単で小型であり、しかも係止及び係止の解除を確実かつ簡単にした新規な係止装置を提供することを目的としている。
【０００７】
【課題を解決するための手段】
上記の目的を達成するため、この発明は、扉や窓の障子、或いは引戸等の可動体の可動端縁部、及び可動端縁部と引き違いになる扉枠や窓枠或いは引戸の框等の固定側の端縁部の一方に装着されたケースと、他方に設けられたストライクと、ケース内において引き違い面に垂直な方向に移動可能に案内され、ケースの外壁を貫通してケース外に突出する先端部がストライクに開口した係止孔に係入する方向の前方に付勢された係止ロッドと、係止ロッドにこれと一体に移動でさるように担持され、係止ロッドの半径方向に移動可能に案内されると共に、一端に係止突起を形成した摘み軸と、この摘み軸をその長さ方向に付勢する摘みばねと、ケース外に突出する摘み軸の外端に結合された摘みと、摘み及び摘み軸に外力が作用しない常態において、摘み軸の係止突起を係止ロッドの半径方向における待機位置に設定する第１ストッパーと、常態における摘み軸の係止突起に前方から係合して係止ロッドを待機位置に係止する第２ストッパーとを有し、摘み軸を摘みばねの弾力に抗してその軸線方向に移動させることにより第２ストッパーと係止突起との係合を解き、係止ロッドを待機位置から更に前方に移動させることができるようにしたことを特徴とする。
【０００８】
【発明の実施の形態】
以下、この発明の実施例を図面を参照して説明する。なお、この実施例は、この発明を天窓の係止装置に適用した場合を示すものである。
【０００９】
この天窓は、図１及び図２に示すように、屋根に填め込まれた例えば木製の窓枠１に、支軸２を介して障子３を揺動可能に装着してある。なお、図２において下方が室内側である。
【００１０】
障子３の外枠の下面には、図２に示すように、これと平行にハンドル４が揺動可能に装着されており、このハンドル４により図示を省略するラッチ装置を解除するようになっているが、このラッチ装置は本発明と関係が無いのでその説明を省略する。
【００１１】
図２のＡ部を拡大して示す図３において、符号５はこの発明の一実施例による係止装置のケースを示し、このケース５は、図４に示すように、障子３の外枠の図１の右下隅部の下面に例えばねじ止めにより装着されている。なお、図４はケース５を外枠１を通して図２の矢印Ｘ方向から見ている。
【００１２】
図４及び図５において、このケース５は図２の矢印Ｘ方向から見て障子３の左端部に装着されているが、障子の右端部にも同様に図示しないケースが装着されており、この右端部の係止装置は左端部のものと左右対称に構成されている他は変りはないので、更に詳細な説明は省略する。
【００１３】
ケース５内には、図４及び図５に示すように、先端（図で左端）を先細に成形した係止ロッド６がその長さ方向（図で左右方向）に移動可能に案内されている。
【００１４】
更に具体的に説明すると、図６及び図７に示すように、ケース５内には、断面コ字形に折曲された板材よりなる外枠７と、一面が開いた箱状に折曲された板材よりなる内枠８とが設けられており、これらは例えば溶接により相互に一体的に結合されている。
【００１５】
そして、外枠７の左方の側板に形成されたバーリング部７ａ、及び内枠８の左方の側板に開口した案内孔８ａ（図６参照）に摺動可能に嵌合することにより、係止ロッド６はその長さ方向に移動可能に支承、案内されている。
【００１６】
上記係止ロッド６の先端は図示の実施例では半球状に成形されているが、その理由は次に述べるストライクの斜面との係合を円滑にするためであって、この発明の必須の構成要件ではない。
【００１７】
一方、天窓閉鎖時係止ロッド６の先端と対向する窓枠１の内面部分には、図８及び図９に示すように、係止孔９を開口させたストライク１１が装着されている。
そして、係止孔９の周囲には斜面部１２が形成されている。
【００１８】
上記ストライク１１と係止ロッド６の先端とは、天窓開閉時相互に引き違いとなるものであるから、係止ロッド６の移動方向は、この引き違い面に垂直な方向であると言うことができる。
【００１９】
ケース５内の説明に戻ると、図４及び図５に示すように、係止ロッド６の中央部に嵌着されたＥリングのような止め輪１３と、上記内枠８との間に円錐台形のラッチばね１４が弾装されている。
【００２０】
そして、このラッチばね１４の弾力により、係止ロッド６はその先端がストライクの係止孔９に係入する方向の前方に付勢されている。
【００２１】
一方、係止ロッド６の後端部には、図４及び図５に示すように、摘み軸１５が係止ロッドと一体に移動できるように担持されている。
【００２２】
この摘み軸１５は、図１０及び図１１に示すように、一端（図５及び図１１において上端）に断面小判形の異形断面部１６と、これより大径のフランジよりなる係止突起１７とを連設した断面円形の棒状体である。
【００２３】
そして、この摘み軸１５は、図５に示すように、係止ロッド６の後端部を直径方向に貫通して長さ方向に摺動可能に嵌合している。
【００２４】
また、上記係止突起と係止ロッド６との間には圧縮コイルばねとしての摘みばね１８（図５参照）が弾装されている。
【００２５】
この摘みばね１８の弾力により、摘み軸１５は係止ロッド６から抜き外れる方向に付勢されるが、摘み軸１５に嵌着された止め輪１３（図５参照）が係止ロッド６の外周面に係止され、摘み軸１５に外力が作用しない常態において、その長さ方向の位置を規定している。
【００２６】
つまり、この止め輪１３は前記した摘み軸１５の第１ストッパーになるわけで、この第１ストッパーの機能は、摘み軸１５に形成された係止突起１７の常態における係止ロッド６からの距離を所定の値に保ち、係止突起の、係止ロッドの半径方向（摘み軸１５の長さ方向）における待機位置を確定することにある。
【００２７】
他方、上記摘み軸１５のケース５外に突出する外端には、図４及び図５に示すように、断面がＬ字形の摘み１９が一体に結合されている。
【００２８】
図示の実施例では、摘み１９の内面に摘み軸１５の異形断面部１６（図１０参照）と嵌合可能な同形の凹陥部（図示せず）を形成し、この凹陥部と異形断面部１６とを嵌合させた後、摘み１９の外側から結合ねじにより摘み軸１５を呼び付けるようにして結合している。
【００２９】
このとき、図示の実施例では、図１２に示すように、摘み１９の内側に突条２１を形成し、この突条２１をケース５に形成された係合溝２２に摺動可能に係合させ、摘み軸１５の回り止めを施している。
【００３０】
なお、摘み１９の折れ曲がった部分１９ａはケース５の下面に突在し、天窓下方から摘み１９を操作し易くなっている（図３乃至図５参照）。
【００３１】
また、図６及び図７に示すように、内枠８の下側の側板には前後方向に延在する第１案内長孔２３が開口している。
【００３２】
更にまた、内枠８の上側の側板には、何れも前後方向に延在する第２案内長孔２４及び第３案内長孔２５が、前者を前方に配設して連設されている。
【００３３】
これら案内長孔２３〜２５の幅は、夫々、摘み軸１５の他端部、異形断面部１６の幅の狭い部分及び係止突起１７と摺動可能に係合できるように設定されている。
【００３４】
したがって、常態においては、図４及び図５に示すように、係止突起１７が第３案内長孔２５に、摘み軸１５の他端が第１案内長孔２３に夫々係合して係止ロッド６の回り止めとなっている。
【００３５】
同時に、第２案内長孔２４と第３案内長孔２５との境目が第２ストッパーとして係止突起１７に前方から係合し、摘み軸１５及びこれと一体の係止ロッド６を図４及び図５に示す待機位置に係止している。
【００３６】
この待機位置においては、係止ロッド６はその先端は例えば半径分ストライクの係止孔９（図８参照）に係入しているものとする（天窓閉鎖時）。
【００３７】
上記のように構成された本発明の一実施例による係止装置は、閉鎖している天窓を開けるとき、図３に鎖線で示すように、ハンドル４を握って下方に引くとラッチ２６が外れ、ハンドル４が装着された障子３が下降できるようになる。
【００３８】
このとき係止ロッド６が待機位置にあるとすると、ハンドル４を下方に引くことにより係止ロッド６とストライク１１との間に相対運動が生じ、図示の実施例のように係止ロッドの先端が丸めてある場合には、その曲面部とストライクの係止孔９の開口端縁との間に生じる楔作用により、ラッチばね１４（図５参照）の弾力に抗して係止ロッド６が右方に移動し、係止ロッド６とストライク１１との係合が外れる。
【００３９】
したがって、障子３は窓枠１から自由になり、図示しない開角度規定装置により障子の開角度を所定の値に保って室内の換気をし、或いは障子を引っ繰り返して障子の外面の清掃を行う。
【００４０】
障子を閉めるときには、ハンドル４を握ってその儘障子を閉めれば、ラッチ２６（図３参照）が自動的にストライクに係合して障子の自由端縁部が窓枠１に係止される。
【００４１】
同時に、係止ロッドの先端がストライク１１（図８及び図９参照）の斜面部１２に乗り上がり、係止ロッド６と係止孔９が整合するに致り、ラッチばね１４の弾力により係止ロッド６が前方に移動し、このようにして係止ロッド６とストライク１１とが自動的に係合する。
【００４２】
このときの係止ロッド６の係止孔９に対する係合深さはせいぜい係止ロッドの半径程度で浅いから、これらによって障子３を安定的に係止することはできない。
【００４３】
そこで、摘み１９を図４で紙面方向、図５で下方に摘みばね８の弾力に抗して押動する。実際には障子の下面の折れ曲がった部分１９ａを手指で摘んで水平に引く。
【００４４】
すると、係止突起１７と前記第２ストッパーとの係合が外れるので、その儘摘み１９を前方（図４及び図５で左方）に引けば、係止ロッド６の先端は待機位置より更に前進し、図４及び図５に鎖線で示すように、ストライクの係止孔９中に深く進入する。
【００４５】
このとき、係止突起１７は、摘みばね１８の弾力により内枠８の内面に弾圧され、これと摺接しつつストライク１１の方向に移動する。
【００４６】
この状態で摘み１９から手を放しても、ストライク１１と係止ロッド６との間の摩擦、及びラッチばね１４の弾力により係止ロッド６が待機位置に戻ることはなく、天窓の障子３は窓枠１に安定的に係止される。
【００４７】
この係止は図２の矢印Ｘ方向から見て左側の場合であるが、右側でも同様の係止作用が得られる。
【００４８】
天窓を再び開くときには、摘み１９を摩擦力及びラッチばねの弾力に抗して上記とは逆方向に引く。
【００４９】
すると、係止ロッド６はストライクの係止孔９から引き抜かれつつケース５内に引込むが、その係止突起１７が内枠８の第２及び第３案内長孔２４、２５（図７参照）の境目に来ると、摘みばね１８の弾力により第３案内長孔２５に自動的に投入されて待機位置にもどる。
【００５０】
以降、手を放しても係止ロッド６は付勢方向に移動することなく、以下、上記したと同様の手順で天窓を開ける。
【００５１】
【発明の効果】
以上の説明から明らかなように、この発明は、係止ロッドとストライクとの掛け外しのみを手を放した状態で行い、より深い係合を手動で行うようにしたから、係止装置としての構造が簡単になる。
【００５２】
また、リトラクターを必要としないから、係止装置を小型にすることができる、等種々の効果を奏する。
【図面の簡単な説明】
【図１】この発明一実施例による係止装置を適用した天窓の線図的平面図。
【図２】その側面図。
【図３】図２のＡ部分の拡大一部断面図。
【図４】天窓の窓枠を通して図２のＸ方向から見た係止装置の一部断面側面図。
【図５】その一部断面下面図。
【図６】ケース内の外枠及び内枠の平面図。
【図７】その側面図。
【図８】ストライクの正面図。
【図９】その下面図。
【図１０】摘み軸の平面図。
【図１１】その側面図。
【図１２】図３とは反対方向から見たケースの一部断面図。
【符号の説明】
１  窓枠
３  障子
５  ケース
６  係止ロッド
７  外枠
８  内枠
９  係止孔
１１  ストライク
１２  斜面部
１４  ラッチばね
１５  摘み軸
１７  係止突起
１８  摘みばね
１９  摘み
２３  第１案内長孔
２４  第２案内長孔
２５  第３案内長孔
【図１】
0004130857.tif 000002
【図２】
0004130857.tif 000003
【図３】
0004130857.tif 000004
【図４】
0004130857.tif 000005
【図５】
0004130857.tif 000006
【図６】
0004130857.tif 000007
【図７】
0004130857.tif 000008
【図８】
0004130857.tif 000009
【図９】
0004130857.tif 000010
【図１０】
0004130857.tif 000011
【図１１】
0004130857.tif 000012
【図１２】
0004130857.tif 000013